(57)【特許請求の範囲】
【請求項１】
ファスナー面係止ユニット（２）であり、前記ファスナー面係止ユニット（２）は、可撓性を有するシート部材である可撓性シート部材（１０）と、該可撓性シート部材（１０）の面に設けられたファスナーから成り、前記ファスナーは、エレメント（７０）と複数のスライダー（７１）とテープ（９）からなり、
前記ファスナーは、二つのテープ（９）と、それぞれの前記テープ（９）に設けられたエレメント（７０）をスライドして移動するスライダー（７１）が移動することによって、前記エレメント（７０）が互いに係合して脱着可能であり、
前記エレメント（７０）をテープ（９）の端部に１列に設け、
前記スライダー（７１）を、前記エレメント（７０）から抜けないように、スライド可能に設け、
それぞれの前記二つのテープ（９）の端部に並んで１列に設けられた前記エレメント（７０）と、複数の前記スライダー（７１）を１つのセットとして構成され、
前記可撓性シート部材（１０）の略平面に、前記ファスナーが、略密着する様にして、前記二つのテープ（９）がそれぞれ、前記テープに沿って略平行に設けられたテープ係止部（１２７）によって、前記可撓性シート部材（１０）に係止して設けられることによって、前記ファスナーの幅の二倍より広くは前記ファスナーは開口せず、また、前記可撓性シート部材１０が、前記ファスナーを開いた際にも、開く前と同様に、平面の状態を保持され、
前記スライダー（７１）は、アイテム吊設部を備え、前記アイテム吊設部に、設置アイテム（１８）または保持部材（１９）を係止可能であり、
前記可撓性シート部材（１０）は、シート係止部（１２６）を備え、該シート係止部（１２６）によって、
壁や支持材に設置可能であり、様々な設置アイテム（１８）を前記スライダー（７１）にて単独で、保持可能であることを特徴とするファスナー面係止ユニット（２）。
【請求項２】
前記ファスナー面係止ユニット（２）が、複数の可撓性シート部材（１０）から成り、前記複数の可撓性シート部材（１０）が、互いに着脱可能に係止して設けられることを特徴とする請求項１に記載のファスナー面係止ユニット（２）。
【発明の詳細な説明】
【技術分野】
【０００１】
本発明は、物の係止、保持、収納についての自由度の高い保持、係止構造の技術に関する。
【背景技術】
【０００２】
従来から、物の壁面への係止や保持、収納には、壁に吊り具をねじ止めや画鋲やリベット等で留めて、必要な係止具や保持具や収納具を設置するのが一般的である。
また、突っ張り棒などを利用して、壁際にそうした係止具や保持具を取り付けるという方法も存在する。
また、壁に係止具や保持具を備えたレールをネジ等で設置して、レール上で移動可能な保持具として、ちょっとした絵などを掲示する方法も存在する。
【０００３】
また、壁等への損傷を気にせず、自由な場所に係止や保持、収納できるような自由度の高い係止、保持構造は、本願発明者による特許文献３の構成が存在するが、更なる改善点もあり、より自由度が高く、容易で、コスト的にもメリットの高い移動式の係止構造が求められている。
【０００４】
また、看板等の案内表示物においても、木製や金属製といった平坦な表面に社名や広告等を表示する方法があり、また、壁等に係止具を設置してシート状の看板を設けるような方法も存在する。しかし、更に看板のサイズや数等の変更が容易で、自由度の高い案内表示が可能な係止構造技術が求められている。
【０００５】
このような現状に鑑み、本発明者以外にも従来から種々の技術が提案されている。
【０００６】
例えば、特許文献１には、発明の名称を「壁面取付具」とする技術が開示され、公知技術となっている（特許文献１参照）。
具体的には、パネル上部に取り付ける左右調整具と下部に取り付ける上下調整具とからなり、左右調整具は水平方向に突出するア−ムからなり、該ア−ムは前記保持部内部を左右方向に移動可能に挿通され先端部にパネルを引っ掛けるためのフックが設けられた構成からなる、パネルの取付具であるが、看板のサイズや数等の変更が容易で、自由度の高い案内表示が可能とする係止をするという課題を解決するものではない。
【０００７】
また、特許文献２には、発明の名称を「移動式係止構造」とする技術が本願発明者によって提案されており、特許取得済みである（特許文献２参照）。係る提案内容においては、スライダーを二つ一組で係止ペアとして係るファスナーの開閉を抑制する構成であるが、係る構成だと、スライダーを二つ単位で必要であったり、コスト面や使用シーンがやや狭くなる等の課題が残るものである。
また、係る発明の提案者である本願発明者は、更により広く、深い応用、活用範囲、また、よりシンプルあるいは多彩な部材、構造、及び、より発展的な部材、構造、より低いコストと利便性について、その製造方法や構成を開発するといった課題も追及すべきといえる。
【０００８】
また、特許文献３には、発明の名称を「歯状移動式係止構造と収納ユニットとその製造方法」とする技術が本願発明者によって提案されており、特許取得済みである（特許文献３参照）。係る提案内容においては、特別なテープを製作する必要があったり、２つのテープを合わせて係止する製造時の作業性、使用時の自由度の広さ等について、コスト面や使用シーンにおいて、より広い、あるいは別の使用シーンにより適した構成が求められているものである。
また、係る発明の提案者である本願発明者は、更により広く、深い応用、活用範囲、また、よりシンプルあるいは多彩な部材、構造、及び、より発展的な部材、構造、より低いコストと利便性について、その製造方法や構成を開発するといった課題も追及すべきといえる。
【先行技術文献】
【特許文献】
【０００９】
【特許文献１】特開２００５−９５５１７号
【特許文献２】特許第６３４３０８７号
【特許文献３】特開２０１９−２０８７２４号
【発明の概要】
【発明が解決しようとする課題】
【００１０】
係止、保持、収納位置、数量、サイズを自由に調整でき、壁への穴等の損傷や汚れを最小限にすることが可能な自由度の高い係止、保持、収納構造物を提供する。
【課題を解決するための手段】
【００１１】
本発明においては、
ファスナー面係止ユニット（２）であり、前記ファスナー面係止ユニット（２）は、可撓性を有するシート部材である可撓性シート部材（１０）と、該可撓性シート部材（１０）の面に設けられたファスナーから成り、前記ファスナーは、エレメント（７０）と複数のスライダー（７１）とテープ（９）からなり、
前記ファスナーは、二つのテープと、それぞれの前記テープに設けられたエレメントをスライドして移動するスライダーが移動することによって、前記エレメントが互いに係合して脱着可能であり、
前記エレメントをテープ（９）の端部に１列に設け、前記エレメントは、抜防止部（６）を備え、
前記スライダー（７１）を、前記エレメント（７０）に、前記抜防止部（６）と跨ぎ掛部（７）にて抜けないように、スライド可能に設け、
前記抜防止部（６）は、前記スライダーに跨いで設けられた、前記スライダー（７１）の抜け防止機能を備えた部分であり、
それぞれの前記テープ（９）の端部に並んで１列に設けられた前記エレメント（７０）と、複数の前記スライダー（７１）を１つのセットとして構成され、
前記可撓性シート部材（１０）の略平面に、前記二つのテープ（９）がそれぞれ前記可撓性シート部材（１０）に係止して設けられることによって、前記ファスナーの幅の二倍より広くは前記ファスナーは開口せず、
前記スライダーは、アイテム吊設部を備え、前記アイテム吊設部に、設置アイテムを係止可能であり、
前記可撓性シート部材（１０）は、シート係止部（１２６）を備え、該シート係止部（１２６）によって、
壁や支持材に設置可能であり、様々な設置アイテム（１８）を前記スライダー（７１）にて単独で、保持可能である構成を採用する。
【００１２】
また、本発明においては、前記シート係止部（１２６）が、前記可撓性シート部材（１０）の少なくとも３以上の角部に設けられ、前記可撓性シート部材（１０）のスライダを備えた面を地側に下向きに設置可能である構成を採用することもできる。
【００１３】
また、本発明においては、前記ファスナー面係止ユニット（２）が、複数の可撓性シート部材（１０）から成り、可撓性シート部材（１０）に設けられたファスナーの一部または全部が、他の可撓性シート部材（１０）に覆われている構成を採用することもできる。
【００１４】
また、本発明においては、前記ファスナー面係止ユニット（２）が、複数の可撓性シート部材（１０）から成り、前記複数の可撓性シート部材（１０）が、互いに着脱可能に係止して設けられている構成を採用することもできる。
【００１５】
また、本発明においては、前記複数の可撓性シート部材（１０）が、互いに着脱可能に係止して設けられる構成において、前記着脱可能な係止部が、面係止部であり、前記面係止部は、互いの面にて、着脱可能に係止可能な構成を採用することもできる。
【発明の効果】
【００１６】
本発明に係るファスナー面係止ユニットによれば、係止、保持、収納位置が自由であり、製造コストの低減という優れた効果を発揮する。
【００１７】
また、本発明に係るファスナー面係止ユニットによれば、素材が可撓性を有する素材で構成されていることから、多様な物品の形状に対応して係止、保持、収納できるという優れた効果を発揮するものである。
【００１８】
また、本発明に係るファスナー面係止ユニットによれば、壁に穴等の損傷をより少なく、且つ、汚れ無く係止、保持、収納できるという優れた効果を発揮する。
【００１９】
また、本発明に係るファスナー面係止ユニットによれば、省スペースな収納が可能であるという優れた効果を発揮する。
【００２０】
また、本発明に係るファスナー面係止ユニットによれば、自由度の高い案内表示の掲示が可能であるという優れた効果を発揮する。
【００２１】
また、本発明に係るファスナー面係止ユニットによれば、自由度の高い収納が可能であるという優れた効果を発揮する。
【００２２】
また、本発明に係るファスナー面係止ユニットによれば、素材の略すべてが可撓性を有する素材で構成されていることから、多様な物品の形状に対応して装着できるという優れた効果を発揮するものである。
【図面の簡単な説明】
【００２３】
【図１】本発明に係る基本構成を説明する構成説明図
【図２】本発明に係るファスナー面係止ユニットを、天に地方向に向けて設けた構成の説明図
【図３】本発明に係るファスナー面係止ユニットを、天に地方向に向けて設けた構成の応用例の説明図
【図４】本発明に係るファスナー面係止ユニットを、天に地方向に向けて設けた構成の応用例の説明図
【発明を実施するための形態】
【００２４】
本発明に係るファスナー面係止ユニット２は、可撓性を有するシート部材である可撓性シート部材10と、該可撓性シート部材10の面に設けられたファスナーから成り、係るファスナーは、エレメント７０と複数のスライダー７１とテープ９からなり、
係るファスナーは、二つのテープ９と、それぞれの係るテープ９に設けられたエレメント７０をスライドして移動するスライダー７１が移動することによって、係るエレメント７０が互いに係合して脱着可能であることによって、開閉可能であり、
それぞれの係るテープ９の端部に並んで１列に設けられた係るエレメント７０と、複数の係るスライダー７１を１つのセットとして構成され、
係る可撓性シート部材10の略平面に、係る二つのテープ９がそれぞれ係る可撓性シート部材10に係止して設けられることによって、係るファスナーを構成する二つのテープ９の端から端までの幅の二倍より広くは前記ファスナーは開口せず、自由度が高く、係止、保持可能である構造を備えて、スペースを取らない収納に大きな効果を備えたことを最大の特徴とするものである。
【００２５】
以下、図面に基づいて本発明について説明する。但し、各図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能とする。
また、図の説明中のファスナーは、スライダー７１のスライドによって開閉可能なスライドファスナーを指す。
【００２６】
図１は、本発明に係るファスナー面係止ユニット２の基本的な構成の例を示している。
【００２７】
図１（a）の構成の例は、エレメント７０と、２つのスライダー７１が示されており、テープ９と可撓性シート部材10からなる構成の例の、図１（ｄ）に示される係るファスナーと可撓性シート部材10の正面からの部分拡大図であり、図１（ｂ）は係る構成の例と略同等の構成の例の側断面図であり、図１（ｃ）は、係る構成の例の側断面図において、２つの可撓性シート部材10が係止して設けられた構成の例であり、図１（ｄ）が、係る構成の例の正面図である。
【００２８】
図１(ａ)の部分拡大図は、係るファスナーを構成する二本のテープ９を係る可撓性シート部材１０に係止部であるテープ係止部１２7にて係止して設けられている構成の例である。
尚、係るテープ係止部１２7は、九十九折線で示された部分である。
係るファスナーを構成するスライダー７１には、図１（ｄ）の構成の例に示される様に、設置アイテム１８を係止して吊設して用いられる構成の例を示しており、係るファスナーを構成する二本のテープ９が、それぞれ係る可撓性シート部材１０に係止されている構成とすることによって、係るファスナーは開かず、図1（ｄ）の構成の例に示される様に、係るファスナー面係止ユニット２を形成するスライダー７１を移動しても、係るファスナーが開かず、係る設置アイテム１８の吊設場所を自由に設定することが可能な構成の例であり、有用である。
【００２９】
つまり、図1（ｄ）の構成の例に示される様に、係る設置アイテム１８のサイズが、大きく、係るファスナーが多段に設けられている場合は、上から吊設されている設置アイテム１８が下の段のスライダー７１を覆ってしまい、係る下の段のスライダー７１に設置アイテム１８を係止して着脱し難い構成となるので、係るスライダー７１を移動して、係るスライダー７１に設置アイテム１８を係止し易くした構成の例であり、図1（ｄ）においては、３段に設けられたファスナーにそれぞれ６個づつのスライダー７１が設けられており、最上段のスライダー７１には、５つの設置アイテム１８が吊設されており、係る設置アイテム１８の内、一番右と右から３番目の設置アイテム１８は、２段目あるいは３段目のファスナーに係る位大きい為、係る２段目あるいは、３段目のスライダー７１を係る１段目に設けられた設置アイテム１８にかからない様にスライドして移動し、設置アイテム１８を吊設した構成の例である。
尚、図１（ｄ）の一番上のファスナーの、左から２番目のスライダーには、保持部材１９としてＳ字フックを備えた構成となっており、係る保持部材１９であるＳ字フックに、容易にキーホルダーや、帽子等、その他様々な設置アイテム１８を吊設可能な構成となっている。
また、係る可撓性シート部材10の上部には、３つのシート係止部１２６として、穴が設けられている構成の例である。
【００３０】
また、係るスライダー７１には係る設置アイテム１８を係止して保持可能な保持部材１９を備えた構成としても良く、係る保持部材１９を備えることによって、様々な設置アイテム１８を係止して吊設可能な構成となり有用である。
設置アイテム１８は、係止部材または保持部材１９を介して係るスライダー７１に設置されるアイテムであり、例えばポケットや、袋、籠、網等の収納構造物３０でも良いし、収納あるいは保持される収納物である、例えば、帽子や衣類、キーホルダー、ハサミ等の文房具や小物、タオル、ホワイトボード等の物品でもよく、その他、本発明の技術的思想の範囲内、即ち、同一の作用効果を発揮できる範囲内で限定しない。
また、保持部材１９は、様々な設置アイテム１８に合わせた形態、構造で良く、紐、面ファスナー、ボルトナット、磁石、リング、フック、筒状部材、針金、鎖、粘着テープ９、ゴム、棒、ベルト等、その他その形態を本発明の技術的思想の範囲内、即ち、同一の作用効果を発揮できる範囲内で限定しない。
【００３１】
図１（ｃ）の構成の例は、２枚の可撓性シート部材１０が係止して設けられた構成の例である。
係る２枚の可撓性シート部材１０は、上からと下からの可撓性シート部材１０が互いに係止して設けられており、下側の可撓性シート部材１０の上端に、係るファスナーの２枚のテープ９がそれぞれ別個に係る下側の可撓性シート部材１０に係止して設けられた構成の例であり、係る上側の可撓性シート部材１０が、係る下側の上端に設けられたファスナーを覆う様にして下側の可撓性シート部材１０と係止して設けられた構成の例である。
係る構成とすることによって、係る下側の可撓性シート部材１０の略上端に設けられたファスナーの一部または全部を上側の可撓性シート部材１０で隠すことが可能となり、意匠的に有用な構成である。
尚、係る可撓性シート部材１０は、２枚以上を係止する構成としても良いし、また、係るファスナーは、１枚の可撓性シート部材１０に対して、複数段備える構成としても良い。
尚、図１（ｃ）において、２枚の可撓性シート部材１０が互いに係止されている係止部は、７つある九十九折線の内、上から３番目の九十九折線が示している部分である。
【００３２】
また、係る上側と下側の可撓性シート部材１０の係止部は、例えば、面ファスナーにて着脱可能に係止可能な構成としても良く、係る着脱可能に係止する構成は、面ファスナーでも良いし、ホックでも良いし、マグネットでも良いし、フックでも良いし、自己吸着シートでも良く、その他、本発明の技術的思想の範囲内、即ち、同一の作用効果を発揮できる範囲内で限定しないが、面係止部である面ファスナーあるいはマグネットシートあるいは自己吸着シートで着脱可能に係止することによって、係る係止部の略全体に渡って係止される構成であるので、例えば、係る係止部がフックで係止する構成であると、係るフックとフックとの間が係止されていない部分となるので、重量で、係る係止されていない部分が垂れ下がって広がってしまう可能性もあり、意匠的に好ましくない場合もあるが、面係止部であることによって、そうした好ましくない状況にならず、意匠的にも、強度的にも有用な構成である。
また、前記面係止部は、面同士で着脱可能に係止可能な構造であり、面ファスナーあるいはマグネットシートあるいは自己吸着シートであり、その他、本発明の技術的思想の範囲内、即ち、同一の作用効果を発揮できる形状あるいは寸法の範囲内で変更することができるものである。
また、自己吸着シートは、被着体に対して、素材自体が吸着し、粘着剤や糊を使用せずに貼り付けが可能なシートであり、微細な吸盤による吸着、ジェル状による吸着でも良く、その他本発明の技術的思想の範囲内、即ち、同一の作用効果を発揮できる形状あるいは寸法の範囲内で変更することができるものである。
この様に、上側と下側の可撓性シート部材１０を着脱可能に係止可能な構成とすることによって、係るファスナー面係止ユニット２のサイズを、使用者の必要に応じて変更可能であり、また、違った色やデザインの可撓性シート部材１０を組み合わせることも可能で、また、吊設して収納する設置アイテムに合わせて、高さの違う可撓性シート部材１０を組み合わせることも可能であり、つまり、例えば最下段には、鍵や小物等を吊設する為に高さの低い可撓性シート部材１０を着脱可能に係止し、２段目には、帽子等を吊設する為に、それに合わせた高さの可撓性シート部材１０を着脱可能に係止し、一番上には、バッグ等を吊設するのに合わせたサイズのファスナー面係止ユニット２を設ける等、使用者の必要に応じて、自由にアレンジ可能な構成とすることが可能となり、有用である。
【００３３】
また、図１の構成の例の係るスライダー７１がスライドして移動する係るファスナーのエレメント７０は、複数の歯状形状から成り、係る歯状形状が並んで構成されたエレメント７０が２つのテープ９それぞれの略端部に設けられており、係る歯状のエレメント７０を備えたテープ９が、係る歯状形状が互い違いに噛み合うことによって、係合して係止することによって、開閉可能な構成であり、また、係る歯状形状は、係るエレメント７０を抜けて外れない構成においてスライドして移動するスライダー７１によって、開閉するファスナーの構成の例であり、つまり、一般的に衣類等の開閉に用いられるスライドファスナーの構成の例である。
係るファスナーは、ビニール袋の開口部を封するタイプのスライドファスナー、つまり、例えば、ジップロック（商標登録名）等に代表するように、係るエレメント７０が、可撓性の凹溝部に、凸溝部を嵌め合わせることによって開閉可能な構成で、係る開閉を、係るエレメント７０をスライド移動可能なスライダー７１によって開閉する構成のスライドファスナーとしても良く、その他、本発明の技術的思想の範囲内、即ち、同一の作用効果を発揮できる形状あるいは寸法の範囲内で変更することができるものである。
【００３４】
また、係る可撓性シート部材10の略平面に、係る二つのテープ９がそれぞれ係る可撓性シート部材10に係止して設けられることによって、係るファスナーの係る二つのテープ９の端から端までの幅の二倍より広くは前記ファスナーは開口せず、１つのスライダー７１で1つの設置アイテム１８を設けても、係るファスナーが大きく開いてしまわず、有用である。
【００３５】
また、係るファスナーを構成するそれぞれのテープ９を、略平面状の係る可撓性シート部材10に直接係止する構成とすることによって、係るファスナーを係る可撓性シート部材10へ容易に係止し易い構成であり、係止する作業のし易さ、工数の削減となり、製造コストの低減に繋がり有用である。
また、係るファスナースライダー７１が係る可撓性シート部材10に対して面直に設けられた構成とすることによって、特に、図２に示される様に係る可撓性シート部材10を天側に設けることが可能な構成とし、天側に地に向かって係る設置アイテム１８を吊設する際に、係るファスナーが捻じれることなく係る可撓性シート部材10に略面直に係る設置アイテム１８を設けることが可能な構成となり、有用である。
尚、破線で囲われて示された部分が、係る設置アイテム１８を示している。
【００３６】
図２は、本発明に係るファスナー面係止ユニット２を、係る可撓性シート部材10の面を天側から地側に向けて吊設し、係る可撓性シート部材10のスライダー７１から、略鉛直方向に係る設置アイテム１８が吊設された構成の例である。
尚、係るファスナー面係止ユニット２が天側に設ける為の支持材は、省略している。
【００３７】
また、係る設置アイテム１８あるいは保持部材１９を吊設可能なスライダー７１に設けられた係止可能部を、アイテム吊設部１２４とする。
係るアイテム吊設部１２４は、係るスライダーに設けられた穴あるいはスライダーのつまみに設けられた穴でも良いし、引掛け部、嵌合部でもよく、その他、本発明の技術的思想の範囲内、即ち、同一の作用効果を発揮できる範囲内で限定しない。
【００３８】
図２(ａ)の構成の例は、図２（ｂ）の構成の例と略同等の構成の例の断面図を示しており、図２（ｂ）の構成の例は、係る可撓性シート部材10の面を天側から地側に向けて吊設した構成の例である。
係る構成においては、図１の説明にも記載の様に、係るファスナースライダー７１が係る可撓性シート部材10に対して面直に設けられた構成とすることによって、係る可撓性シート部材10を天側に設けることが可能な構成とし、天側から地側に向かって係る設置アイテム１８を吊設する際に、係るファスナーが捻じれることなく係る可撓性シート部材10に略面直に係る設置アイテム１８を設けることが可能な構成となり、有用である。
また、係る二本のテープ９が、係る可撓性シート部材10の略平面にそれぞれ設けられていることによって、係るファスナーは少なくとも係るファスナーの幅の２倍以上は開かず、且つ、係る可撓性シート部材10の略面直に係るスライダー７１を設けることが可能である構成であることによって、略係るファスナーが捻じれずに係る設置アイテム１８を吊設可能な構成となり、有用である。
【００３９】
図２（ｂ）の構成の例は、係る天側に設けられた係るファスナー面係止ユニット２を、地側から見た正面図であり、係るスライダー７１には、１６個の設置アイテム１８が吊設して設けられた構成の例を示している。
尚、係る可撓性シート部材10には、４隅にシート係止部１２６として、フックを備えた構成であり、係るフックによって、係る可撓性シート部材10を天側に吊設された構成の例である。
係る構成とすることによって、収納場所として遊んでいる人の頭の上を収納スペースとして活用することが可能な構成となり、有用である。
【００４０】
尚、係る４隅に設けられたシート係止部１２６は、４か所以上でも良いし、係る可撓性シート部材10に棒を通すことによって、係る可撓性シート部材10を支持材に支持する構成としても良く、但し、少なくとも４隅の角に係るシート係止部１２６を備えることによって、係る角が垂れ下がることを抑制することが可能であり、有用である。
【００４１】
尚、図２（ｂ）の構成の例の可撓性シート部材10は、略四角形であるので、係る角部は４隅に設けられた構成となるが、係る可撓性シート部材10は、３角形の場合は少なくとも係る３つの角部に係るシート係止部１２６を備えた構成とすることによって、係る可撓性シート部材10をしっかりと張って設けることが可能な構成となり、有用である。
尚、係る可撓性シート部材10の形状が5角形以上であれば、それぞれの角部に係るシート係止部１２６を備えた構成とするのが望ましく、係る可撓性シート部材10が円形の場合は、係る可撓性シート部材10の略円周状に係るシート係止部１２６を備えた構成とするのが望ましい。
【００４２】
図３の構成の例は、図２の構成の例に示される様な、係る可撓性シート部材10が天側に設けられる構成の例の応用例の説明図である。
図３（a）の構成の例においては、図２(ａ)の構成の例のファスナー面係止ユニット２のシート係止部１２６に高さ調整具１２１である紐が設けられた構成の例である。
係る高さ調整具１２１である紐は、壁125に設けられた高さ調整係止部１２２にフックを介して引掛けて設けられた構成の例である。
【００４３】
係る高さ調整係止部１２２は、壁125に設けられた手摺である構成の例であり、係る手摺である高さ調整係止部１２２が、左右の壁125にそれぞれ３段ずつ設けられている構成の例である。
尚、係る高さ調整具１２１である紐は、可撓性のシート状である構成としても良い。
図３（a）の構成の例においては、係る３段に設けられた高さ調整係止部１２２の一番下段に、係る高さ調整具１２１である紐がフックを介して引掛けて設けられている構成の例であり、係る構成とすることによって、係る可撓性シート部材10が図２（ｄ）の構成の例の様に、しっかりと張った状態で設けられている構成の例であり、係るフックを、真ん中の高さ調整係止部１２２に引掛けることによって、係るファスナー面係止ユニット２に設けられた設置アイテム１８の高さを変更可能な構成である。
係る設置アイテム１８の高さを調整可能であることによって、収納時は係る設置アイテム１８を人の頭に当たらない高い位置に収納し、必要に応じて、違う高さの高さ調整係止部１２２に係る高さ調整具１２１を係止して設けて、係る設置アイテム１８を手の届く低い位置にて着脱して吊設して収納可能な構成であり、有用である。
【００４４】
尚、図３（ｂ）は、図３（ａ）の構成の例のファスナー面係止ユニット２と略同等の構成の例の、側面からの断面図である。
尚、係る高さ調整具１２１である紐は、係る高さ調整係止部１２２である手摺に巻いて係止することによって、係る可撓性シート部材10の高さを変更可能な構成としても良く、係る高さ調整係止部１２２を、図面には示されていないが、リール等の巻取り具で巻き取る構成とすることによって、係る高さ調整具１２１の長さを調整可能な構成としても良いし、係る高さ調整係止部１２２に、違う高さで係る高さ調整係止部１２２に係止可能なフック等の係止部を備える構成とすることによって、係る可撓性シート部材10の高さを調整可能な構成としても良く、それらの高さ調整係止部１２２の長さや係止する高さを変更可能な構成を、高さ調整構造１２３とし、このように、係る高さ調整構造１２３は、巻き取り構造としても良いし、高さの違う高さ調整係止部１２２に係止する構造としても良いし、高さ調整係止部１２２に複数の係止箇所を備えて、手摺等に係止する構成としても良く、その他、本発明の技術的思想の範囲内、即ち、同一の作用効果を発揮できる範囲内で限定しない。
【００４５】
尚、上記一連の本図内容において、可撓性シート部材１０は、可撓性を有する略シートであればその素材を特に限定するものではなく、例えば、ポリエステルやポリアミドなどの合成樹脂、ビニール、ゴム、ガラス繊維、綿や麻の天然素材でもよく、その色についても透明であっても不透明であっても蛍光色でも特に限定せず、また厚さやサイズについても特に限定するものではない。使用場所や想定される係止、保持、収納物によっては、耐水性や強度に優れた素材が望ましい。
【００４６】
係るポケットはその他の形態の容器でもよく、係る収納構造物３０の形態は本発明の技術的思想の範囲内、即ち、同一の作用効果を発揮できる範囲内で限定しない。
【００４７】
また、保持部材１９は、様々な設置アイテム１８に合わせた形態、構造で良く、紐、面ファスナー、ボルトナット、磁石、リング、フック、筒状部材、針金、鎖、粘着テープ９、ゴム、棒、ベルト等、その他その形態を本発明の技術的思想の範囲内、即ち、同一の作用効果を発揮できる範囲内で限定しない。
【００４８】
また、それぞれの図において、本発明の説明は、可撓性シート部材１０の片面だけに設置アイテム１８を吊設可能な構成であるが、両面に吊設可能な構成としても良い。
設置アイテム１８は、保持部材１９を介して係るスライダー７１に設置されるアイテムであり、例えばポケットや、袋、籠、網等の収納構造物３０でも良いし、収納あるいは保持される収納物である、例えば、帽子や衣類、タオル、ホワイトボード等の物品でもよく、その他、本発明の技術的思想の範囲内、即ち、同一の作用効果を発揮できる範囲内で限定しない。
【産業上の利用可能性】
【００４９】
本発明は、壁への穴等、損傷や汚れを抑制し、簡単で、自由度が高い係止、保持、収納が可能とすることで、スペースを取らない収納、保管、自由度の高い案内表示の掲示を可能にすることなど、応用、活用の範囲が広く、利用できる魅力的な発明品となり、産業上利用可能性は極めて高いと思慮されるものである。
【符号の説明】
【００５０】
２    ファスナー面係止ユニット
９    テープ
１０  可撓性シート部材
１８  設置アイテム
１９  保持部材
３０  収納構造物（ポケット、容器類）
５９  つまみ
７０  エレメント
７１  スライダー
１２１  高さ調整具
１２２  高さ調整係止部
１２３  高さ調整構造
１２４  アイテム吊設部
１２５  壁
１２６  シート係止部
１２７  テープ係止部
【要約】
【課題】係止、保持、収納位置、数量、サイズを自由に調整でき、壁への穴等の損傷や汚れを最小限にすることが可能な自由度の高い係止、保持、収納構造物を提供する。
【解決手段】ファスナー面係止ユニット（２）は、可撓性を有するシート部材である可撓性シート部材（１０）と、該可撓性シート部材（１０）の面に設けられたファスナーから成り、
前記ファスナーは、二つのテープ（９）を備え、それぞれの前記テープ（９）に設けられたエレメント（７０）をスライドして移動するスライダー（７１）が移動することによって、前記エレメント（７０）が互いに係合して脱着可能であり、
前記可撓性シート部材（１０）の略平面に、前記二つのテープ（９）がそれぞれ前記可撓性シート部材（１０）に係止して設けられることによって、前記ファスナーの幅の二倍より広くは前記ファスナーは開口せず、
前記スライダー（７１）は、アイテム吊設部を備え、
前記可撓性シート部材（１０）は、シート係止部（１２６）を備え、様々な設置アイテム（１８）を前記スライダー（７１）にて単独で、保持可能である構成とした。
【選択図】図１【図１】
0006951606.tif 000002
【図２】
0006951606.tif 000003
【図３】
0006951606.tif 000004
【図４】
0006951606.tif 000005